(57)【要約】  本発明は、換気による電力消費を低減可能とする空調システムを得ることを目的とする。  空調システム（１）は、室内から取り込まれた空気を室外へ送る排気送風機（２２）と、室外から取り込まれた空気を室内へ送る給気送風機（２３）と、排気送風機（２２）と給気送風機（２３）との運転による換気風量を制御する制御部（２０）と、を有し、室内の換気を行う換気装置（２）と、室内における人の有無を検知する人感センサ（３５）と、を備える。制御部（２０）は、少なくとも、第１の風量と、第１の風量よりも大きい第２の風量とに換気風量を切り換え可能であって、人感センサ（３５）により人の存在が検知されない場合において、換気風量を第１の風量とする。
2019146121.tif 000002
【特許請求の範囲】
【請求項１】
室内から取り込まれた空気を室外へ送る排気送風機と、前記室外から取り込まれた空気を前記室内へ送る給気送風機と、前記排気送風機と前記給気送風機との運転による換気風量を制御する制御部と、を有し、前記室内の換気を行う換気装置と、  前記室内における人の有無を検知する人感センサと、を備え、  前記制御部は、少なくとも、第１の風量と、前記第１の風量よりも大きい第２の風量とに前記換気風量を切り換え可能であって、前記人感センサにより人の存在が検知されない場合において、前記換気風量を前記第１の風量とすることを特徴とする空調システム。
【請求項２】
前記制御部は、前記第１の風量および前記第２の風量を含む複数の風量において前記換気風量を切り換え可能であって、  前記第１の風量は、前記複数の風量のうち最も小さい風量であることを特徴とする請求項１に記載の空調システム。
【請求項３】
前記室内の空調を行う空調装置を備え、  前記人感センサは、前記空調装置に設けられていることを特徴とする請求項１または２に記載の空調システム。
【請求項４】
前記人感センサは、前記換気装置に設けられていることを特徴とする請求項１または２に記載の空調システム。
【請求項５】
前記室内の空調を行う空調装置を備え、  前記人感センサは、前記換気装置および前記空調装置以外の位置に設けられていることを特徴とする請求項１または２に記載の空調システム。
【請求項６】
前記制御部は、前記人感センサにより人の存在が検知されている場合において、前記人感センサによる検知結果に基づいて人の数を判定して前記換気風量を制御することを特徴とする請求項１から５のいずれか１つに記載の空調システム。
【請求項７】
前記室内の空気の二酸化炭素濃度を計測する二酸化炭素センサを備え、  前記制御部は、前記人感センサにより人の存在が検知されている場合において、前記二酸化炭素センサによる計測結果を基に前記換気風量を制御することを特徴とする請求項１から５のいずれか１つに記載の空調システム。
【請求項８】
室内から取り込まれた空気を室外へ送る排気送風機と、  前記室外から取り込まれた空気を前記室内へ送る給気送風機と、  前記給気送風機と前記排気送風機との運転による換気風量を制御する制御部と、  前記室内における人の有無を検知する人感センサと、を備え、  前記制御部は、少なくとも、第１の風量と、前記第１の風量よりも大きい第２の風量とに前記換気風量を切り換え可能であって、前記人感センサにより人の存在が検知されない場合において、前記換気風量を前記第１の風量とすることを特徴とする換気装置。
【発明の詳細な説明】
【技術分野】
【０００１】  本発明は、室内の空調と換気とを行う空調システム、および空調システムに備えられる換気装置に関する。
【背景技術】
【０００２】  室内の空調を行う空調装置と室内の換気を行う換気装置とを備える空調システムが知られている。換気装置としては、室外から室内への給気流と、室内から室外への排気流との間の熱交換を伴う換気である熱交換換気と、給気流と排気流との間の熱交換を伴わない換気である普通換気とを切り換え可能な熱交換型換気装置が知られている。【０００３】  空調システムは、熱交換換気により、室内へ取り込まれる空気の温度を室内の温度に近づけて、空調装置による空調負担を低減させる。空調システムは、室外の空気を熱交換せず直接室内へ取り込むことで空調効果が得られる場合には、普通換気を行うことで、室内の快適な空気環境の維持と空調負荷の低減とを可能とする。【０００４】  特許文献１には、室温および外気温と、室内の二酸化炭素（ＣＯ２）濃度を基に換気風量を制御する空調システムが開示されている。ＣＯ２は、空気環境を悪化させる成分である汚れ成分の１つである。室内にいる人が多いほど、ＣＯ２濃度は高くなる。
【先行技術文献】
【特許文献】
【０００５】
【特許文献１】特許第３５５１１２４号公報
【発明の概要】
【発明が解決しようとする課題】
【０００６】  特許文献１の空調システムは、室内にいた人がいなくなった場合において、人がいなくなる前までの換気風量での換気が継続されることにより、換気による電力消費が過大となる場合がある。【０００７】  本発明は、上記に鑑みてなされたものであって、換気による電力消費を低減可能とする空調システムを得ることを目的とする。
【課題を解決するための手段】
【０００８】  上述した課題を解決し、目的を達成するために、本発明にかかる空調システムは、室内から取り込まれた空気を室外へ送る排気送風機と、室外から取り込まれた空気を室内へ送る給気送風機と、排気送風機と給気送風機との運転による換気風量を制御する制御部と、を有し、室内の換気を行う換気装置と、室内における人の有無を検知する人感センサと、を備える。制御部は、少なくとも、第１の風量と、第１の風量よりも大きい第２の風量とに換気風量を切り換え可能であって、人感センサにより人の存在が検知されない場合において、換気風量を第１の風量とする。
【発明の効果】
【０００９】  本発明にかかる空調システムは、換気による電力消費を低減できるという効果を奏する。
【図面の簡単な説明】
【００１０】
【図１】本発明の実施の形態１にかかる空調システムの構成を示す図
【図２】実施の形態１にかかる空調システムが有する換気装置および空調装置の機能構成を示すブロック図
【図３】実施の形態１にかかる空調システムが人感センサの検知結果に基づいて換気装置の換気風量を切り換える手順を示すフローチャート
【図４】実施の形態１にかかる空調システムにおける制御部の機能が専用のハードウェアにより実現される場合の制御部の構成図
【図５】実施の形態１にかかる空調システムにおける制御部の機能が、メモリに格納されるプログラムを実行するプロセッサにより実現される場合の制御部の構成図
【図６】本発明の実施の形態２にかかる空調システムの構成を示す図
【図７】実施の形態２にかかる空調システムが有する換気装置および空調装置の機能構成を示すブロック図
【図８】本発明の実施の形態３にかかる空調システムの構成を示す図
【図９】実施の形態３にかかる空調システムが有する換気装置および空調装置の機能構成を示すブロック図
【図１０】本発明の実施の形態４にかかる空調システムの構成を示す図
【図１１】実施の形態４にかかる空調システムが有する換気装置および空調装置の機能構成を示すブロック図
【図１２】実施の形態４にかかる空調システムが人感センサの検知結果に基づいて換気装置の換気風量を切り換える手順を示すフローチャート
【発明を実施するための形態】
【００１１】  以下に、本発明の実施の形態にかかる空調システムおよび換気装置を図面に基づいて詳細に説明する。なお、この実施の形態によりこの発明が限定されるものではない。
【００１２】実施の形態１．  図１は、本発明の実施の形態１にかかる空調システム１の構成を示す図である。空調システム１は、室内の換気を行う換気装置２と、室内の空調を行う空調装置３とを備える。空調装置３は、冷房運転と、暖房運転と、送風運転とを行う。
【００１３】  図１において、室内は、建物内における壁６、床７および天井８によって囲まれた空間とする。室外とは、建物の外とする。換気装置２は、天井８よりも上方の空間に配置されている。換気装置２は、建物内のうち、天井８より上方の空間以外の空間に配置されていても良い。図１では、換気装置２の内部に設けられている構成要素を模式的に表している。
【００１４】  換気装置２は、給気流と排気流との熱交換を行いながら換気を行うことが可能な熱交換型換気装置である。空調システム１は、室外から室内への給気と室内から室外への排気とにより室内を換気することで、室内の快適な空気環境を維持する。空調システム１は、給気流と排気流との熱交換により、室内へ取り込まれる空気と室内の空気との温度差を小さくして、空調装置３による室内の空調負担を低減させる。
【００１５】  換気装置２は、室内から取り込まれた空気を室外へ送る排気送風機２２と、室外から取り込まれた空気を室内へ送る給気送風機２３と、排気流と給気流との熱交換を行う熱交換器２４とを備える。排気送風機２２と、給気送風機２３と、熱交換器２４とは、ケーシング２１に収納されている。ケーシング２１の内部には、排気流が通過する排気風路と、給気流が通過する給気風路とが構成されている。
【００１６】  排気送風機２２は、モータの駆動により排気流を発生させる。給気送風機２３は、モータの駆動により給気流を発生させる。図１では、排気送風機２２のモータと給気送風機２３のモータとの図示を省略している。熱交換器２４は、排気流が通過する一次側風路と、給気流が通過する二次側風路とを備える。熱交換器２４は、排気風路を進行する排気流と給気風路を進行する給気流との間の全熱交換を行う。
【００１７】  排気流は、天井８に設けられている排気口１０からダクト１６を通り、換気装置２に取り込まれる。換気装置２の排気風路を通過した排気流は、ダクト１８を通り、壁６に設けられている排気口１２から室外へ吹き出される。給気流は、壁６に設けられている給気口１３からダクト１９を通り、換気装置２に取り込まれる。換気装置２の給気風路を通過した給気流は、ダクト１７を通り、天井８に設けられている給気口１１から室内へ吹き出される。
【００１８】  ケーシング２１の内部には、ダクト１６からケーシング２１へ流入した排気流の排気風路を、熱交換器２４へ進行させる風路と、熱交換器２４を迂回するバイパス風路とに切り換えるダンパーが設けられている。換気装置２は、ダンパーがバイパス風路を塞いで熱交換器２４へ排気流を進行させることにより、熱交換換気を行う。換気装置２は、熱交換器２４へ排気流を進行させる風路をダンパーが塞いでバイパス風路へ排気流を進行させることにより、普通換気を行う。換気装置２は、ダンパーの駆動により、熱交換換気と普通換気とを切り換える。なお、図１では、ダンパーおよびバイパス風路の図示を省略している。
【００１９】  換気装置２は、普通換気では、熱交換器２４による排気流との熱交換を経ない給気流を室内へ送る。空調システム１は、室内より室外のほうが快適な温度である場合に、普通換気により快適な温度の空気を室外から室内へ送ることで、室内を快適な温度にするとともに空調負荷を低減させる。
【００２０】  温度センサ２５は、排気風路に設けられている。温度センサ２５は、室内から換気装置２へ取り込まれた空気の温度を計測する。温度センサ２６は、給気風路に設けられている。温度センサ２６は、室外から換気装置２へ取り込まれた空気の温度を計測する。換気装置２は、温度センサ２６により、外気温を計測する。温度センサ２５，２６の１つの例は、サーミスタである。温度センサ２５，２６は、熱電対、あるいはその他の温度検知手段であっても良い。
【００２１】  換気装置２は、排気送風機２２と給気送風機２３との運転による換気風量を制御する制御部２０を備える。制御部２０は、換気風量の制御を含め、換気装置２の全体を制御する。制御部２０は、ケーシング２１の外面に設けられている。制御部２０は、排気送風機２２のモータの駆動と給気送風機２３のモータの駆動との制御により、換気装置２の換気風量を制御する。換気風量は、給気流と排気流との風量である。また、制御部２０は、ダンパーの駆動の制御により、熱交換換気と普通換気との切り換えを制御する。
【００２２】  リモートコントローラ２７は、室内に設置されている。リモートコントローラ２７は、換気装置２のオンおよびオフ、換気風量の切り換え、熱交換換気と普通換気との切り換え、運転タイマーの操作といった、換気装置２への各種指令を受け付ける。リモートコントローラ２７は、ユーザから受け付けた指令を制御部２０へ送る。制御部２０は、リモートコントローラ２７から受けた指令に基づいて、換気装置２の動作を制御する。
【００２３】  空調装置３は、建物内に配置されている室内機４と、室外に配置されている室外機５とを備える。空調装置３は、室内機４と室外機５との間を循環する冷媒を使用して室内の空気と室外の空気との間の熱移動を行い、室内の空調を行う。図１において、室内機４は、天井８より上方の空間に配置されている。室内機４は、建物内のうち、天井８より上方の空間以外の空間に配置されていても良い。室内機４は、室内に配置されていても良い。図１では、室内機４の内部に設けられている構成要素を模式的に表している。室外機５の内部に設けられている構成要素については図示を省略する。
【００２４】  室内機４は、室内から取り込まれた空気を室内へ循環させる循環送風機３２と、冷媒と空気との熱交換を行う熱交換器３３とを備える。循環送風機３２は、モータの駆動により循環気流を発生させる。図１では、循環送風機３２のモータの図示を省略している。循環送風機３２と熱交換器３３とは、ケーシング３１に収納されている。ケーシング３１の内部には、冷媒が流動する冷媒配管と、冷媒を膨張する膨張弁とが設けられている。図１では、冷媒配管と膨張弁との図示を省略している。室外機５は、室外機５の内と外とにおける空気の取り込みと吹き出しとを行う送風機と、空気と冷媒との熱交換を行う熱交換器と、冷媒を圧縮する圧縮機とを備える。
【００２５】  循環気流は、天井８に設けられている吸込口１４からケーシング３１へ取り込まれる。循環気流は、ケーシング３１から、天井８に設けられている循環口１５を通り、室内へ吹き出される。ケーシング３１の内部には、室内から室内機４へ取り込まれた空気の温度を計測する温度センサ３４が設けられている。温度センサ３４の１つの例は、サーミスタである。温度センサ３４は、熱電対、あるいはその他の温度計測手段であっても良い。
【００２６】  室内機４には、室内における人の有無を検知する人感センサ３５が設けられている。人感センサ３５は、検知対象範囲における赤外線の受光量の変化量を基に人の所在を検知する。人感センサ３５は、撮影画像による検知手段、あるいはその他の検知手段であっても良い。
【００２７】  空調装置３は、冷房運転において、室内機４の熱交換器３３を蒸発器として機能させ、室外機５の熱交換器を凝縮器として機能させる。空調装置３は、暖房運転において、室内機４の熱交換器３３を凝縮器として機能させ、室外機５の熱交換器を蒸発器として機能させる。空調装置３は、冷房運転および暖房運転において、室内機４の循環送風機３２と室外機５の送風機とを駆動する。空調装置３は、送風運転において、室内機４の循環送風機３２を駆動し、室外機５の送風機と圧縮機との駆動を停止する。
【００２８】  空調装置３は、空調装置３の全体を制御する制御部３０を備える。制御部３０は、室内機４のケーシング３１の外面に設けられている。室内機４と室外機５とは、制御部３０による制御にしたがって駆動する。
【００２９】  リモートコントローラ３６は、室内に設置されている。リモートコントローラ３６は、空調装置３のオンおよびオフ、冷房、暖房および送風の各運転の切り換え、空調装置３から吹き出される循環気流の風量および風向の切り換え、設定温度の切り換え、および運転タイマーの操作といった、空調装置３への各種指令を受け付ける。リモートコントローラ３６は、ユーザから受け付けた指令を制御部３０へ送る。制御部３０は、リモートコントローラ３６から受けた指令に基づいて、空調装置３の動作を制御する。
【００３０】  換気装置２の制御部２０と空調装置３の制御部３０とは、信号線３７により接続されている。制御部３０は、信号線３７を介して制御部２０へ指令を送る。制御部２０は、制御部３０からの指令にしたがって換気装置２を制御する。これにより、空調システム１は、空調装置３に連動して換気装置２を動作させる。
【００３１】  図２は、実施の形態１にかかる空調システム１が有する換気装置２および空調装置３の機能構成を示すブロック図である。図２では、空調装置３については室内機４の構成要素を示すこととし、室外機５の構成要素の図示を省略している。図２では、便宜上、空調装置３の制御部３０を室内機４の構成要素に含めて示している。
【００３２】  換気装置２の制御部２０には、リモートコントローラ２７、温度センサ２５，２６、モータ駆動部４１，４２およびダンパー駆動部４３が接続されている。モータ駆動部４１は、排気送風機２２のモータを駆動する駆動回路である。モータ駆動部４２は、給気送風機２３のモータを駆動する駆動回路である。ダンパー駆動部４３は、ダンパーを駆動する駆動回路である。換気装置２は、制御部２０によるモータ駆動部４１，４２の制御により、換気装置２のオンおよびオフの切り換えと、換気風量の切り換えとを行う。換気装置２は、制御部２０によるダンパー駆動部４３の制御により、熱交換換気と普通換気との切り換えを行う。
【００３３】  換気装置２は、空調装置３との連動による運転と、空調装置３との連動によらない単独での運転とを可能とする。換気装置２は、リモートコントローラ２７から受けた指令に基づいて、単独での運転を行う。空調システム１は、空調装置３による室内の温度調節が不要である場合、空調装置３の運転を停止して、換気装置２の運転により室内を換気する。
【００３４】  空調装置３の制御部３０には、リモートコントローラ３６、人感センサ３５、モータ駆動部４４および温度センサ３４が接続されている。モータ駆動部４４は、循環送風機３２のモータを駆動する駆動回路である。また、制御部３０には、膨張弁を駆動する駆動回路が接続されている。図２では、膨張弁の駆動回路の図示を省略している。制御部３０は、リモートコントローラ３６により設定された設定温度に基づいて、モータ駆動部４４および膨張弁の駆動回路と、室外機５の各部とを制御する。
【００３５】  制御部３０は、人感センサ３５による検知結果を基に、空調装置３から吹き出される循環気流の風量および風向を調節することができる。空調システム１は、室内における人の所在に応じた空調装置３の運転により、快適な空気環境を保つとともに、効率的な空調による電力消費の低減が可能となる。また、制御部３０は、温度センサ３４による検知結果を基に、設定温度を調節することができる。空調システム１は、室温に応じた空調装置３の運転により、快適な室温を保つとともに、効率的な空調による電力消費の低減が可能となる。
【００３６】  空調システム１は、空調装置３の設定温度と、温度センサ２５，２６で検知された室温および外気温との比較により、換気装置２の熱交換換気と普通換気とを切り換えても良い。例を挙げると、空調装置３が冷房運転を行う場合であって、室温よりも外気温および設定温度が低い場合に、換気装置２により普通換気を行うことで、空調システム１は、空調装置３による冷却効率を向上させ、電力消費の低減が可能となる。
【００３７】  また、空調システム１は、人感センサ３５による検知結果を基に、換気装置２の換気風量を制御しても良い。空調システム１は、室内にいる人の数が多いほど換気風量を大きくすることで、汚れ成分の１つであるＣＯ２を多く含む空気を室外へ排出するとともに、新鮮な外気を室内へ取り込む。これにより、空調システム１は、室内のＣＯ２濃度を低減させて、室内の空気環境を快適な状態に保つことができる。
【００３８】  実施の形態１では、制御部２０は、強風量、中風量および弱風量の３つの設定風量において換気風量を切り換え可能であるものとする。制御部２０は、室内に人がいる場合には換気風量を中風量以上とする。制御部２０は、室内にいる人の数を判定して、人の数とあらかじめ設定された閾値とを比較した結果を基に、換気風量を制御しても良い。制御部２０は、室内にいる人の数が閾値より多い場合に換気風量を強風量とし、室内にいる人の数が閾値以下である場合に換気風量を中風量としても良い。なお、設定風量の数は３つに限られず、複数であれば良いものとする。
【００３９】  制御部２０は、人感センサ３５により人の存在が検知されない場合において、換気風量を、複数の設定風量のうち最も小さい設定風量とする。実施の形態１では、制御部２０は、人の存在が検知されない場合に、換気風量を最小風量である弱風量とする。空調システム１は、室内において人がいない状態となったとき、人がいなくなる前までの設定よりも優先して換気風量の切り換えを行うことで、換気風量を強風量あるいは中風量から弱風量へ強制的に変更する。
【００４０】  図３は、実施の形態１にかかる空調システム１が人感センサ３５の検知結果に基づいて換気装置２の換気風量を切り換える手順を示すフローチャートである。図３に示す手順のスタートでは、室内に人がいる状態であるものとする。ステップＳ１では、空調システム１は、設定された換気風量である中風量あるいは強風量にて換気装置２を運転している。制御部２０は、人感センサ３５により人の存在が検知されている場合において、人感センサ３５による検知結果に基づいて人の数を判定して換気風量を制御する。
【００４１】  ステップＳ２では、空調システム１は、人感センサ３５による検知結果を基に、室内における人の存在の検知があるか否かを制御部２０にて判断する。人の存在の検知がある場合（ステップＳ２，Ｙｅｓ）、空調システム１は、手順をステップＳ１に戻して、設定された換気風量での換気装置２の運転を継続する。
【００４２】  人の存在の検知がない場合（ステップＳ２，Ｎｏ）、制御部２０は、人感センサ３５の検知結果に基づく判定に関わらず換気風量を最も小さい設定風量とする。人感センサ３５により人の存在が検知されなくなったときに、空調システム１は、ステップＳ３において、換気装置２の換気風量を、第２の風量である中風量あるいは強風量から、第１の風量である弱風量へ切り換える。これにより、空調システム１は、図３に示す手順による換気風量の切り換えを終了する。
【００４３】  空調システム１は、室内にいた人がいなくなったことにより、換気風量を最小風量へ切り換えることで、人がいなくなる直前までの換気風量での換気が継続される場合と比べて、電力消費を低減することができる。なお、室内に人がいなくなった後において、人感センサ３５により再び人の存在が検知された場合に、空調システム１は、設定にしたがい、換気風量を、弱風量から中風量あるいは強風量に切り換える。
【００４４】  換気装置２の制御部２０の機能は、処理回路により実現される。換気装置２は、換気装置２の運転を制御するための処理回路を備える。処理回路は、専用のハードウェアであっても良く、メモリに格納されるプログラムを実行するプロセッサであっても良い。
【００４５】  図４は、実施の形態１にかかる空調システム１における制御部２０の機能が専用のハードウェアにより実現される場合の制御部２０の構成図である。専用のハードウェアである処理回路５１は、単一回路、複合回路、プログラム化されたプロセッサ、並列プログラム化したプロセッサ、ＡＳＩＣ（Application  Specific  Integrated  Circuit）、ＦＰＧＡ（Field-Programmable  Gate  Array）、又はこれらの組み合わせである。
【００４６】  図５は、実施の形態１にかかる空調システム１における制御部２０の機能が、メモリに格納されるプログラムを実行するプロセッサにより実現される場合の制御部２０の構成図である。プロセッサ５２は、ＣＰＵ（Central  Processing  Unit）、処理装置、演算装置、マイクロプロセッサ、マイクロコンピュータ、又はＤＳＰ（Digital  Signal  Processor）である。制御部２０の機能は、プロセッサ５２と、ソフトウェア、ファームウェア、又はソフトウェアとファームウェアとの組み合わせにより実現される。ソフトウェア又はファームウェアは、プログラムとして記述され、メモリ５３に格納される。メモリ５３は、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ等の内蔵メモリである。
【００４７】  制御部２０の機能の一部が専用のハードウェアにより実現され、制御部２０の機能のその他の部分がソフトウェアあるいはファームウェアにより実現されても良い。このように、制御部２０の機能は、ハードウェア、ソフトウェア、ファームウェア、又はこれらの組み合わせによって実現することができる。なお、空調装置３の制御部３０の機能は、換気装置２の制御部２０の機能と同様に、空調装置３の運転を制御するための処理回路により実現される。制御部３０の機能は、制御部２０の機能と同様に実現することができる。
【００４８】  実施の形態１によると、制御部２０は、人感センサ３５により人の存在が検知されない場合に、換気風量を、複数の設定風量のうち最も小さい設定風量とする。これにより、空調システム１は、換気による電力消費を低減できるという効果を奏する。
【００４９】実施の形態２．  図６は、本発明の実施の形態２にかかる空調システム１の構成を示す図である。実施の形態２にかかる空調システム１は、図１に示す室内機４の人感センサ３５に代えて、換気装置２に人感センサ６０が設けられている。実施の形態２にかかる空調システム１のうち人感センサ６０以外の構成は、実施の形態１にかかる空調システム１と同様である。実施の形態２では、実施の形態１と同一の構成要素には同一の符号を付し、実施の形態１とは異なる構成について主に説明する。
【００５０】  人感センサ６０は、実施の形態１の人感センサ３５と同様に、室内における人の有無を検知する。人感センサ６０は、検知対象範囲における赤外線の変化量を基に人の所在を検知する。人感センサ６０は、撮影画像による検知手段、あるいはその他の検知手段であっても良い。
【００５１】  図７は、実施の形態２にかかる空調システム１が有する換気装置２および空調装置３の機能構成を示すブロック図である。図７では、空調装置３については室内機４の構成要素を示すこととし、室外機５の構成要素の図示を省略している。図７では、便宜上、空調装置３の制御部３０を室内機４の構成要素に含めて示している。
【００５２】  換気装置２の制御部２０には、リモートコントローラ２７、温度センサ２５，２６、人感センサ６０、モータ駆動部４１，４２およびダンパー駆動部４３が接続されている。制御部２０は、人感センサ６０による検知結果を基に、換気装置２の換気風量を制御する。空調システム１は、室内における人の有無に応じた換気風量の制御により、室内のＣＯ２濃度を低減させて、室内の空気環境を快適な状態に保つことができる。
【００５３】  空調システム１は、人感センサ６０による検知結果を基に、空調装置３から吹き出される循環気流の風量および風向を調節しても良い。空調システム１は、室内における人の所在に応じた空調装置３の運転により、快適な空気環境を保つとともに、効率的な空調による電力消費の低減が可能となる。
【００５４】  制御部２０は、人感センサ６０により人の存在が検知されない場合において、換気風量を、複数の設定風量のうち最も小さい設定風量とする。実施の形態２では、実施の形態１と同様に、制御部２０は、人の存在が検知されない場合に、換気風量を最小風量である弱風量とする。空調システム１は、室内において人がいない状態となったとき、人がいなくなる前までの設定よりも優先して換気風量の切り換えを行うことで、換気風量を強風量あるいは中風量から弱風量へ強制的に変更する。
【００５５】  実施の形態２によると、空調システム１は、実施の形態１と同様の換気風量の制御により、換気による電力消費を低減できるという効果を奏する。
【００５６】実施の形態３．  図８は、本発明の実施の形態３にかかる空調システム１の構成を示す図である。実施の形態３にかかる空調システム１は、図１に示す室内機４の人感センサ３５に代えて、照明器具７０に搭載されている人感センサ７１を含む。人感センサ７１は、換気装置２および空調装置３以外の機器である照明器具７０に設けられている。実施の形態３にかかる空調システム１のうち人感センサ７１以外の構成は、実施の形態１にかかる空調システム１と同様である。実施の形態３では、実施の形態１と同一の構成要素には同一の符号を付し、実施の形態１とは異なる構成について主に説明する。
【００５７】  照明器具７０は、天井８に設置されている。照明器具７０は、室内を照明する。人感センサ７１は、実施の形態１の人感センサ３５と同様に、室内における人の有無を検知する。人感センサ７１は、検知対象範囲における赤外線の変化量を基に人の所在を検知する。人感センサ７１は、撮影画像による検知手段、あるいはその他の検知手段であっても良い。照明器具７０は、人感センサ７１による検知結果を基に、照明のオンおよびオフを制御可能とする。人感センサ７１は、照明器具７０による照明の制御のための検知機能と、空調システム１による換気風量の制御のための検知機能とを併せ持つ。
【００５８】  図９は、実施の形態３にかかる空調システム１が有する換気装置２および空調装置３の機能構成を示すブロック図である。図９では、空調装置３については室内機４の構成要素を示すこととし、室外機５の構成要素の図示を省略している。図９では、便宜上、空調装置３の制御部３０を室内機４の構成要素に含めて示している。
【００５９】  換気装置２の制御部２０には、リモートコントローラ２７、温度センサ２５，２６、モータ駆動部４１，４２、ダンパー駆動部４３および人感センサ７１が接続されている。制御部２０は、人感センサ７１による検知結果を基に、換気装置２の換気風量を制御する。空調システム１は、室内における人の有無に応じた換気風量の制御により、室内のＣＯ２濃度を低減させて、室内の空気環境を快適な状態に保つことができる。
【００６０】  空調システム１は、人感センサ７１による検知結果を基に、空調装置３から吹き出される循環気流の風量および風向を調節しても良い。空調システム１は、室内における人の所在に応じた空調装置３の運転により、快適な空気環境を保つとともに、効率的な空調による電力消費の低減が可能となる。
【００６１】  制御部２０は、人感センサ７１により人の存在が検知されない場合において、換気風量を、複数の設定風量のうち最も小さい設定風量とする。実施の形態３では、実施の形態１と同様に、制御部２０は、人の存在が検知されない場合に、換気風量を最小風量である弱風量とする。空調システム１は、室内において人がいない状態となったとき、人がいなくなる前までの設定よりも優先して換気風量の切り換えを行うことで、換気風量を強風量あるいは中風量から弱風量へ強制的に変更する。
【００６２】  人感センサ７１は、換気装置２および空調装置３以外の位置に設けられていれば良く、照明器具７０以外の機器に備えられているものであっても良い。人感センサ７１は、例えば、室内に設置されている局所換気扇に搭載されているものであっても良い。人感センサ７１は、室内の天井８または壁６に設置された単独の機器であっても良い。
【００６３】  実施の形態３によると、空調システム１は、実施の形態１と同様の換気風量の制御により、換気による電力消費を低減できるという効果を奏する。
【００６４】実施の形態４．  図１０は、本発明の実施の形態４にかかる空調システム１の構成を示す図である。実施の形態４にかかる空調システム１は、実施の形態１の空調システム１の構成にＣＯ２センサ８０が追加されたものである。実施の形態４では、実施の形態１と同一の構成要素には同一の符号を付し、実施の形態１とは異なる構成について主に説明する。
【００６５】  ＣＯ２センサ８０は、換気装置２の排気風路に設けられている。ＣＯ２センサ８０は、室内から換気装置２へ取り込まれた空気に含まれているＣＯ２を検知して、室内のＣＯ２濃度を計測する。
【００６６】  図１１は、実施の形態４にかかる空調システム１が有する換気装置２および空調装置３の機能構成を示すブロック図である。図１１では、空調装置３については室内機４の構成要素を示すこととし、室外機５の構成要素の図示を省略している。図１１では、便宜上、空調装置３の制御部３０を室内機４の構成要素に含めて示している。
【００６７】  換気装置２の制御部２０には、リモートコントローラ２７、温度センサ２５，２６、ＣＯ２センサ８０、モータ駆動部４１，４２およびダンパー駆動部４３が接続されている。制御部２０は、ＣＯ２センサ８０による計測結果を基に、換気風量を制御する。空調システム１は、室内にいる人の数が多いほど換気風量を大きくすることで、汚れ成分の１つであるＣＯ２を多く含む空気を室外へ排出するとともに、新鮮な外気を室内へ取り込む。これにより、空調システム１は、室内のＣＯ２濃度を低減させて、室内の空気環境を快適な状態に保つことができる。
【００６８】  実施の形態４では、制御部２０は、実施の形態１と同様に、強風量、中風量および弱風量の３つの設定風量において換気風量を切り換え可能であるものとする。制御部２０は、計測されたＣＯ２濃度とあらかじめ設定された閾値とを比較して、ＣＯ２濃度の高さを判定しても良い。室内に人がいるとき、制御部２０は、ＣＯ２濃度が低いと判定した場合には換気風量を中風量以上とし、ＣＯ２濃度が高いとの判定結果により換気風量を強風量としても良い。なお、設定風量の数は３つに限られず、複数であれば良いものとする。
【００６９】  制御部２０は、人感センサ３５により人の存在が検知されない場合において、換気風量を、複数の設定風量のうち最も小さい設定風量とする。実施の形態４では、実施の形態１と同様に、制御部２０は、人の存在が検知されない場合に、換気風量を最小風量である弱風量とする。空調システム１は、室内において人がいない状態となったとき、人がいなくなる前までの設定よりも優先して換気風量の切り換えを行うことで、換気風量を強風量あるいは中風量から弱風量へ強制的に変更する。
【００７０】  図１２は、実施の形態４にかかる空調システム１が人感センサ３５の検知結果に基づいて換気装置２の換気風量を切り換える手順を示すフローチャートである。図１２に示す手順のスタートでは、室内に人がいる状態であるものとする。ステップＳ１１では、空調システム１は、ＣＯ２濃度に応じて設定された換気風量である中風量あるいは強風量にて換気装置２を運転している。制御部２０は、人感センサ３５により人の存在が検知されている場合において、ＣＯ２センサ８０による計測結果を基に換気風量を制御する。
【００７１】  ステップＳ１２では、空調システム１は、人感センサ３５による検知結果を基に、室内における人の存在の検知があるか否かを制御部２０にて判断する。人の存在の検知がある場合（ステップＳ１２，Ｙｅｓ）、空調システム１は、手順をステップＳ１１に戻して、設定された換気風量での換気装置２の運転を継続する。
【００７２】  人の存在の検知がない場合（ステップＳ１２，Ｎｏ）、制御部２０は、ＣＯ２センサ８０による計測結果に関わらず換気風量を最も小さい設定風量とする。人感センサ３５により人の存在が検知されなくなったときに、空調システム１は、ステップＳ１３において、換気風量を、中風量あるいは強風量から、最小風量である弱風量へ切り換える。これにより、空調システム１は、図１２に示す手順による換気風量の切り換えを終了する。
【００７３】  空調システム１は、室内にいた人がいなくなったことにより、換気風量を最小風量へ切り換えることで、人がいなくなる直前までの換気風量での換気が継続される場合と比べて、電力消費を低減することができる。なお、室内に人がいなくなった後において、人感センサ３５により再び人の存在が検知された場合に、空調システム１は、ＣＯ２濃度に応じた設定にしたがい、換気風量を、弱風量から中風量あるいは強風量に切り換える。
【００７４】  実施の形態４によると、空調システム１は、実施の形態１と同様の換気風量の制御により、換気による電力消費を低減できるという効果を奏する。なお、ＣＯ２センサ８０は、室内機４に設けられていても良く、換気装置２および空調装置３以外の機器に設けられていても良い。ＣＯ２センサ８０は、室内の天井８または壁６に設置された単独の機器であっても良い。ＣＯ２センサ８０は、実施の形態２または３の空調システム１の構成に追加されても良い。
【００７５】  以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７６】  １  空調システム、２  換気装置、３  空調装置、４  室内機、５  室外機、６  壁、７  床、８  天井、１０，１２  排気口、１１，１３  給気口、１４  吸込口、１５  循環口、１６，１７，１８，１９  ダクト、２０，３０  制御部、２１，３１  ケーシング、２２  排気送風機、２３  給気送風機、２４，３３  熱交換器、２５，２６，３４  温度センサ、２７，３６  リモートコントローラ、３２  循環送風機、３５，６０，７１  人感センサ、３７  信号線、４１，４２，４４  モータ駆動部、４３  ダンパー駆動部、５１  処理回路、５２  プロセッサ、５３  メモリ、７０  照明器具、８０  ＣＯ２センサ。
【図１】
2019146121.tif 000003
【図２】
2019146121.tif 000004
【図３】
2019146121.tif 000005
【図４】
2019146121.tif 000006
【図５】
2019146121.tif 000007
【図６】
2019146121.tif 000008
【図７】
2019146121.tif 000009
【図８】
2019146121.tif 000010
【図９】
2019146121.tif 000011
【図１０】
2019146121.tif 000012
【図１１】
2019146121.tif 000013
【図１２】
2019146121.tif 000014
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
室内から取り込まれた空気を室外へ送る排気送風機と、前記室外から取り込まれた空気を前記室内へ送る給気送風機と、前記排気送風機と前記給気送風機との運転による換気風量を制御する制御部と、を有し、前記室内の換気を行う換気装置と、
前記室内の空調を行う空調装置と、
前記室内における人の有無を検知する人感センサと、を備え、
前記制御部は、少なくとも、第１の風量と、前記第１の風量よりも大きい第２の風量とに前記換気風量を切り換え可能であって、前記人感センサにより人の存在が検知されない場合において、前記換気風量を前記第１の風量とし、
前記人感センサは、前記空調装置に設けられていることを特徴とする空調システム。
【請求項２】
前記制御部は、前記第１の風量および前記第２の風量を含む複数の風量において前記換気風量を切り換え可能であって、
前記第１の風量は、前記複数の風量のうち最も小さい風量であることを特徴とする請求項１に記載の空調システム。
【請求項３】
前記制御部は、前記人感センサにより人の存在が検知されている場合において、前記人感センサによる検知結果に基づいて人の数を判定して前記換気風量を制御することを特徴とする請求項１または２に記載の空調システム。
【請求項４】
前記室内の空気の二酸化炭素濃度を計測する二酸化炭素センサを備え、
前記制御部は、前記人感センサにより人の存在が検知されている場合において、前記二酸化炭素センサによる計測結果を基に前記換気風量を制御することを特徴とする請求項１から３のいずれか１つに記載の空調システム。
【手続補正３】
【補正対象書類名】明細書
【補正対象項目名】０００１
【補正方法】変更
【補正の内容】
【０００１】
本発明は、室内の空調と換気とを行う空調システムに関する。
【手続補正４】
【補正対象書類名】明細書
【補正対象項目名】０００８
【補正方法】変更
【補正の内容】
【０００８】
上述した課題を解決し、目的を達成するために、本発明にかかる空調システムは、室内から取り込まれた空気を室外へ送る排気送風機と、室外から取り込まれた空気を室内へ送る給気送風機と、排気送風機と給気送風機との運転による換気風量を制御する制御部と、を有し、室内の換気を行う換気装置と、室内の空調を行う空調装置と、室内における人の有無を検知する人感センサと、を備える。制御部は、少なくとも、第１の風量と、第１の風量よりも大きい第２の風量とに換気風量を切り換え可能であって、人感センサにより人の存在が検知されない場合において、換気風量を第１の風量とする。人感センサは、空調装置に設けられている。
【手続補正５】
【補正対象書類名】明細書
【補正対象項目名】００１１
【補正方法】変更
【補正の内容】
【００１１】
以下に、本発明の実施の形態にかかる空調システムを図面に基づいて詳細に説明する。なお、この実施の形態によりこの発明が限定されるものではない。
【国際調査報告】
2019146121.tif 000015
2019146121.tif 000016
2019146121.tif 000017
2019146121.tif 000018